(57)【要約】      （修正有）【課題】振動等で勝手に扉が開放しないようにする。【解決手段】筐体開口部に下側をヒンジ２１として下向きに開閉自在な扉１８を設けた消防用設備装置の扉支持構造について、扉１８のヒンジ２１を、扉閉鎖位置で扉重心Ｇを通る垂線に対し、前面側にずらした位置に配置し、扉の自重Ｗで閉鎖位置を保持する。扉１８は平坦な扉であり、扉１８のヒンジ２１を、扉閉鎖位置で扉中央より前面側にずらした位置に配置する。【選択図】図４
2011015948.tif 000002
【特許請求の範囲】
【請求項１】
筐体開口部に下側を軸として下向きに開閉自在な扉とを設けた消防用設備装置の扉支持構造に於いて、
前記扉の軸を、扉閉鎖位置で扉重心を通る垂線に対し、前面側にずらした位置に配置し、扉の自重で閉鎖位置を保持することを特徴とする消防用設備装置の扉支持構造。
【請求項２】
請求項１記載の消防用設備装置の扉支持構造に於いて、前記扉は平坦な扉であり、前記扉の軸を、扉閉鎖位置で扉中央より前面側にずらした位置に配置したことを特徴とする消防用設備装置の扉支持構造。
【請求項３】
請求項１記載の消防用設備装置の扉支持構造に於いて、前記扉は扉閉鎖位置で扉上端に対し前記軸で支持される扉下端が前面側に飛び出す傾斜配置としたことを特徴とする消防用設備装置の扉支持構造。
【請求項４】
請求項１記載の消防用設備装置の扉支持構造に於いて、前記扉は扉閉鎖位置で扉上側が垂直の起立した垂直扉部を形成し、前記垂直扉部に続いて前記軸で支持される扉下側が前面側に傾斜させた傾斜扉部を形成したことを特徴とする消防用設備装置の扉支持構造。
【請求項５】
請求項１記載の消防用設備装置の扉支持構造に於いて、前記扉は上部内側にホース先端に装着されたノズルを着脱自在に保持し、前記ノズルの荷重により扉重心を前記軸の後方に位置させて閉鎖位置を保持することを特徴とする消防用設備装置の扉支持構造。
【請求項６】
請求項１記載の消防用設備装置の扉支持構造に於いて、前記扉は上部内側に扉重心を前記軸の後方に位置させて閉鎖位置を保持する荷重を付与する重心設定部材を装着したことを特徴とする消防用設備装置の扉支持構造。
【請求項７】
請求項１記載の消防用設備装置の扉支持構造に於いて、前記扉は扉前面を後方に窪ませて扉重心を前記軸の後方に位置させて扉の自重で閉鎖位置を保持する窪み部を設けたことを特徴とする消防用設備装置の扉支持構造。
【請求項８】
請求項１乃至７のいずれかに記載の消防用設備装置の扉支持構造に於いて、更に、マグネット部材と、前記マグネット部材に吸着される受け板と備え、前記マグネット部材と受け板を、扉閉鎖で相対する扉側と筐体側に各々配置したことを特徴とする消防用設備装置の扉支持構造。
【発明の詳細な説明】
【技術分野】
【０００１】
本発明は、回動軸を下側に備え火災時に扉を開いて消火を行う消防用設備装置の扉支持構造に関する。
【背景技術】
【０００２】
従来、消防用設備装置としての例えば高速道路や自動車専用道路などのトンネルに設置されるトンネル消火栓装置は、開放自在な消火栓扉を備えた筐体内に、ノズル付きホースとバルブ類を収納し、更に、開閉自在な消火器扉を備えた消火器収納部に例えば２本の消火器を収納している。
【０００３】
このようなトンネル消火栓装置は、トンネル内の路肩に設けた監視員通路の側壁に沿って例えば５０メートル間隔で設置されており、火災時には、筐体前面の消火栓扉を開いてノズル付きのホースを引き出し、消火栓開閉レバーを開位置に操作して消火用水をノズルから放出するようにしている。
【０００４】
このような消火栓装置の消火栓扉は開口部に下側を軸として下向きに開閉する構造としており、消火栓扉は筐体側にラッチやマグネットを用いたロック機構で閉鎖位置に保持されており、消火時に消火栓扉を開放方向に引くことで、ラッチやマグネットのロックを解除して開き、ノズル付きホースを引き出して消火作業を行う。
【先行技術文献】
【特許文献】
【０００５】
【特許文献１】特開２００５−３１８９７２号公報
【発明の概要】
【発明が解決しようとする課題】
【０００６】
しかしながら、このような従来の消防用設備装置の扉支持構造にあっては、トンネルなどの車の通行する場所に設置されているため、車や地震などによる振動を受けるとマグネットの吸着によるロックがはずれ、扉が勝手に開放することが考えられる。扉が開放すると、監視員通路などを塞ぐこととなり、災害時の非難の邪魔になる。
【０００７】
本発明は、振動等で扉が勝手に開放してしまうことのない消防用設備装置の扉支持構造を提供することを目的とする。
【課題を解決するための手段】
【０００８】
本発明は、筐体開口部に下側を軸として下向きに開閉自在な扉とを設けた消防用設備装置の扉支持構造に於いて、
扉の軸を、扉閉鎖位置で扉重心を通る垂線に対し、前面側にずらした位置に配置し、扉の自重で閉鎖位置を保持することを特徴とする。
【０００９】
ここで、扉は平坦な扉形状であり、扉の軸を、扉閉鎖位置で扉中央より前面側にずらした位置に配置する。
【００１０】
また、扉は扉閉鎖位置で扉上端に対し、軸で支持される扉下端が前面側に飛び出す傾斜配置としても良い。
【００１１】
また、扉は扉閉鎖位置で扉上側が垂直の起立した垂直扉部を形成し、垂直扉部に続いて軸で支持される扉下側を前面側に傾斜させた傾斜扉面部を形成しても良い。
【００１２】
また、扉は上部内側にホース先端に装着されたノズルを着脱自在に保持し、ノズルの荷重により扉重心を軸の後方に位置させて閉鎖位置を保持するようにしても良い。
【００１３】
また、扉は上部内側に扉重心を軸の後方に位置させて閉鎖位置を保持する荷重を付与する重心設定部材を装着しても良い。
【００１４】
また、扉は扉前面を後方に窪ませて扉重心を軸の後方に位置させて扉の自重で閉鎖位置を保持する窪み部を設けるようにしても良い。
【００１５】
本発明の消防用設備装置の扉支持構造は、更に、必要に応じてマグネット部材と、マグネット部材に吸着される受け板と備え、マグネット部材と受け板を、扉閉鎖で相対する扉側と筐体側に各々配置しても良い。
【発明の効果】
【００１６】
本発明によれば、開閉扉の閉鎖位置で、扉自身の重みにより、常に扉に閉止方向に力が加わっており、振動により扉が勝手に開放することを防ぐことができる。
【００１７】
また、扉の自重で扉の閉止を維持できるため、磁気的に扉を閉止位置に吸着保持するマグネットと受け板を不要とすることもでき、部品点数を減らしてコストダウンとメンテナンスフリーを達成することができる。
【図面の簡単な説明】
【００１８】
【図１】本発明による消火栓装置の実施形態を正面から示した説明図
【図２】図１について扉側を外して本体内部構造を示した正面図
【図３】図１について内部構造を示した平面図
【図４】本発明による扉支持構造の実施形態を扉の閉鎖状態と開放状態で示した側面図
【図５】消火栓扉の傾斜配置により閉鎖保持する本発明による扉支持構造の他の実施形態を扉の閉鎖状態と開放状態で示した側面図
【図６】消火栓扉の下部傾斜配置により閉鎖保持する本発明による扉支持構造の他の実施形態を扉の閉鎖状態と開放状態で示した側面図
【図７】ノズルにより消火栓扉を閉鎖状態に保持する本発明による扉支持構造の実施形態を扉の開放状態で示した平面図
【図８】ノズルにより消火栓扉を閉鎖保持する図７の実施形態について扉の閉鎖状態と開放状態で示した側面図
【図９】重心設定部材により消火栓扉を閉鎖保持する本発明による扉支持構造の実施形態を扉の閉鎖状態と開放状態で示した側面図
【図１０】扉の窪み部により消火栓扉を閉鎖保持する本発明による扉支持構造の実施形態を扉の閉鎖状態と開放状態で示した側面図
【発明を実施するための形態】
【００１９】
図１は本発明による消防用設備装置の一例として消火栓装置の実施形態を正面から示した説明図である。図１において、消火栓装置１０は筐体の前面に化粧板１４−１，１４−２を装着しており、筐体内に必要な機器及び部材を組み付けた後に、トンネル現場に搬入して架台１１上に配置している。
【００２０】
化粧板１４−１，１４−２には扉開口部１６，１７が設けられている。右側の扉開口部１６には消火栓扉１８と保守扉２２が設けられており、その内部がホース収納空間及びバルブ類収納空間となっている。
【００２１】
消火栓扉１８は、扉開口部１６に対し下側の軸となるヒンジ２１を中心に下向きに開閉自在に設けられており、マグネットと受け板を用いた下扉ロック機構５６と後の説明で明らかにする扉自重による閉鎖方向の力を受けて消火栓扉１８は閉止位置に閉じている。消火栓扉１８は、ハンドル２０を手前に引いて下扉ロック機構５６の磁気吸着によるロックを外すことで前方に開閉することができる。
【００２２】
消火栓扉１８の上には前向きに開閉する保守扉２２が設けられており、上扉ロック機構５４により磁気吸着により閉止位置に保持されており、点検時に消火栓扉１８を開いた後に保守扉２２の下端を手前に引くことで開くことができる。
【００２３】
扉開口部１６の左側には通報装置扉２４が設けられ、ここに赤色表示灯２６、発信機２８及び応答ランプ３０を設けている。赤色表示灯２６は常時点灯し、消火栓装置１０の設置場所が遠方から分かるようにしている。火災時には発信機２８を押してスイッチ釦をオンすると、発信信号が監視室の火災受信機に送信されて火災警報が出され、これに伴い応答信号が火災受信機から送られ、応答ランプ３０を点灯するようにしている。
【００２４】
消火栓装置１０の左側の扉開口部１７には消火器扉３２が設けられ、その筐体内部を消火器収納空間とし、例えば２本の消火器を収納している。消火器扉３２は左側をヒンジとして前方に開くことができる。また消火器扉３２の下側には覗き窓３５が設けられ、外部から消火器の収納状態が確認できるようにしている。
【００２５】
図２は図１の実施形態について消火栓扉１８を外し、保守扉２２は上向きに開いてステー２７で支持した状態で内部構造を示した正面図である。図２において、筐体の左側にはホース収納空間３６が形成され、右側にバルブ類収納空間３８を形成している。
【００２６】
ホース収納空間３６には、フレームパイプを屈曲して水平方向で上下に配置したフレーム部分を持つバケットフレーム４０が配置され、内部にホース収納空間３６を形成している。バケットフレーム４０の中央から右側にオフセットした位置、即ち扉開口部１６の左右方向における略中央となる位置に、Ｕ字形パイプフレームを固定することで縦方向に２本のホースガイド４２が位置してホース取出口４５を仕切り形成している。更に、ホース取出口４５の下側には、前方に張出し形成された張出ホースガイド４７を設けている。
【００２７】
ホース取出口４５を仕切り形成するホースガイド４２及び張出ホースガイド４７は、ホース４４を引き出す際に内巻きしているホース４４が崩れたり、扉開口部１６に擦れてホース４４が損傷したり折れたりすることを防ぎ、更に開放している消火栓扉１８の右端又は左端にホース４４が引っかかって引き出せなくなることを防ぐ。特に、張出ホースガイド４７はホース４４を左方向に引き出す際のホースの急激な折れ曲がりを緩和して滑らかな引き出しを可能とする。
【００２８】
バケットフレーム４０及び筐体内壁で囲まれたホース収納空間３６にはホース４４が内巻きして収納されている。ここで、右側のバルブ類収納空間３８の下部にはホース接続口４６が配置されており、ホース接続口４６にホース４４の１次側を接続した後、ホース４４をホース収納空間３６に巻き込むことになるが、この場合のホース４４の巻き込みは、扉開口部１６から見て右巻きとなるようにホース４４を巻き込んでいる。
【００２９】
ホース収納空間３６の右側に配置したバルブ類収納空間３８には、ポンプ設備からの配管が接続される消火栓接続口からホース接続口４６に至る配管系統に、給水弁６６、消火栓弁、自動調圧弁、自動排水弁、及びメンテナンス装置７６を設けている。このうち消火栓弁に設けた消火栓弁開閉レバー５２に対応して銘板５８が設けられており、銘板５８の裏側に消火栓弁、自動調圧弁、自動排水弁が配置されている。
【００３０】
図３は、図１について内部構造を示した平面図である。図３において、消火栓装置１０は、消火栓側の第１筐体１２−１と消火器側の第２筐体１２−２に分割した構造であり、前面に化粧板１４−１，１４−２を装着しており、第１筐体１２−１と第２筐体１２−２に対し必要な機器及び部材を組付けた後に連結固定部１５においてボルトにより固定し、この状態でトンネル現場に搬入して架台１１上に設置している。
【００３１】
第１筐体１２−１のホース収納空間３６には平面から見て横Ｌ字形にバケットフレーム４０が配置され、筐体内壁との間に形成したホース収納空間３６にホース４４を右巻きにより内巻き状態で収納している。また、消火器収納空間３９には２本の消火器３７が収納されている。
【００３２】
上下２段に配置したバケットフレーム４０に図２のように一対のホースガイド４２を固定して仕切り形成したホース取出口４５の下側には、張出ホースガイド４７が設けられており、張出ホースガイド４７はその内側にホース４４の外径に略相当する幅の張出スペースを確保している。勿論、張出ホースガイド４７の張出し量は、消火栓扉１８を閉鎖したときに当らない位置となるように決めている。
【００３３】
図４は本発明による扉支持構造の実施形態を示した側面図であり、図４（Ａ）に扉の閉鎖状態を示し、図４（Ｂ）に扉の開放状態で示し、併せてバルブ類収納空間の構造を示している。
【００３４】
図４（Ａ）において、まずバルブ類収納空間について説明する。バルブ類収納空間３８には、給水弁６６、消火栓弁７０、自動調圧弁７２及びメンテナンス装置７６が縦方向に連設配置されている。なお、消火栓弁７０の２次側には自動排水弁７１が設けられる。
【００３５】
消火栓弁７０には直接に消火栓弁開閉レバー５２が装着されている。即ち消火栓弁開閉レバー５２が図示の上向き位置の閉位置のとき、消火栓弁７０は閉状態であり、このとき配管内に消火用水が存在せず、圧がないことから自動排水弁７１は開状態にある。
【００３６】
消火栓弁開閉レバー５２を下向きとなる開位置に操作すると、消火栓弁７０が開放位置に作動され、配管内に圧が上昇して自動排水弁７１は閉鎖位置に作動される。これによって、給水接続口から加圧された消火用水を自動調圧弁７２を通して所定圧に調圧した後、ホース４４側に供給するようにしている。
【００３７】
同時に消火栓弁開閉レバー５２の背後に設置しているスイッチがオンし、これによってポンプ設備に信号が送られ、ポンプ設備が起動される。放水を停止する際には、消火栓弁開閉レバー５２を元の上向き位置に戻すと消火栓弁７０が閉じ、同時にスイッチがオフとなってポンプ設備の運転停止が行われる。
【００３８】
図４（Ａ）の消火栓扉１８の閉鎖状態にあっては、扉下側のヒンジ２１により下向きに開閉自在に支持されており、扉上側の内部に設けた受け板６５を筐体側に設けたマグネット６４に吸着して閉止状態を保持している。
【００３９】
ここで本実施形態にあっては、消火栓扉１８の軸となるヒンジ２１を、扉重心Ｇを通る垂線に沿った扉重量Ｗの方向に対し、前方側にΔＬだけずらして配置している。この扉支持構造により、消火栓扉１８の自重Ｗによりヒンジ２１を中心に扉を右回となる閉鎖方向に押す力が発生し、扉自重Ｗによって消火栓扉１８を閉鎖位置に保持することができる。
【００４０】
このためトンネル内に設置することで車両の通行に伴う振動が加わっても、消火栓扉１８は自重Ｗによる閉鎖方向の力と、受け板６５とマグネット６４の磁気吸着による保持力を受けているため、勝手に開放してしまうことを確実に防止できる。
【００４１】
また図４の扉支持構造にあっては、扉自重Ｗによる閉鎖方向の力だけでも消火栓扉１８を閉鎖位置に保持できるため、マグネット６４と受け板６５による下扉ロック機構を不要とすることも可能であり、部品点数を減らしてコストダウンとメンテナンスフリーが達成できる。マグネットを設けた場合は、扉が固定できるものであれば従来よりも磁力の弱いマグネットを採用でき、扉の開放動作が容易になる。
【００４２】
一方、保守扉２２はヒンジ２３を軸として上向きに開閉自在に設けられ、扉側に固定した受け板６２を筐体側に固定したマグネット６０に磁気的に吸着して閉鎖状態を保持している。
【００４３】
図４（Ｂ）は消火栓扉１８と保守扉２２を開放した状態であり、図１に示したハンドル２０に手を入れて引くことで、筐体側のマグネット６４に対する扉側の受け板６５の磁気吸着によるロックを解除し、下向きに開き、ノズル付きホースを引き出して消火する。
【００４４】
保守扉２２は消火栓扉１８を開いた状態で内側に手を入れて手前に引くことで、筐体側のマグネット６０に対する扉側の受け板６２の磁気吸着によるロックを解除し、ステー２７で開放位置に保持する。
【００４５】
図５は本発明による扉支持構造の他の実施形態を示した側面図であり、図５（Ａ）に扉の閉鎖状態を示し、図５（Ｂ）に扉の開放状態で示し、バルブ類収納空間の構造は省略している。
【００４６】
図５（Ａ）の閉鎖状態において、消火栓扉１８は扉上端に対し軸となるヒンジ２１で支持される扉下端が前面側に飛び出した傾斜配置とした扉であり、この傾斜配置によって扉重心Ｇを通る垂線に沿った扉重量Ｗの方向に対し、ヒンジ２１の位置を前方側にΔＬだけずらして配置している。この扉支持構造により、消火栓扉１８の自重Ｗによりヒンジ２１を中心に扉を右回となる閉鎖方向に押す十分な力が発生し、扉自重Ｗによって消火栓扉１８を閉鎖位置に保持することができる。
【００４７】
このため振動が加わっても、消火栓扉１８は自重Ｗによる閉鎖方向の力と、受け板６５とマグネット６４の磁気吸着による保持力を受けているため、勝手に開放してしまうことを確実に防止できる。
【００４８】
また図５の扉支持構造にあっては、扉自重Ｗによる閉鎖方向の力だけでも消火栓扉１８を閉鎖位置に保持できるため、マグネット６４と受け板６５による下扉ロック機構を不要とすることも可能であり、部品点数を減らしてコストダウンとメンテナンスフリーが達成できる。
【００４９】
図６は本発明による扉支持構造の他の実施形態を示した側面図であり、図６（Ａ）に扉の閉鎖状態を示し、図６（Ｂ）に扉の開放状態で示し、バルブ類収納空間の構造は省略している。
【００５０】
図６（Ａ）の閉鎖状態において、消火栓扉１８は扉閉鎖位置で扉上側が垂直の起立した垂直扉部１８ａを形成し、垂直扉部１８ａに続いて軸としてのヒンジ２１で支持される扉下側に前面側に傾斜させた傾斜扉部１８ｂを形成した２段屈曲構造としている。
【００５１】
この消火栓扉１８の２段屈曲構造により、扉重心Ｇを通る垂線に沿った扉重量Ｗの方向に対し、ヒンジ２１の位置を前方側にΔＬだけずらした位置に配置される。このため消火栓扉１８の重心Ｇから垂線方向に加わる自重Ｗにより、ヒンジ２１を中心に扉を右回となる閉鎖方向に押す十分な力が発生し、扉自重Ｗによって消火栓扉１８を閉鎖位置に保持することができる。
【００５２】
このため振動が加わっても、消火栓扉１８は自重Ｗによる閉鎖方向の力と、受け板６５とマグネット６４の磁気吸着による保持力を受けているため、勝手に開放してしまうことを確実に防止できる。
【００５３】
また図４の扉支持構造にあっては、扉自重Ｗによる閉鎖方向の力だけでも消火栓扉１８を閉鎖位置に保持できるため、マグネット６４と受け板６５による下扉ロック機構を不要とすることも可能であり、部品点数を減らしてコストダウンとメンテナンスフリーが達成できる。
【００５４】
図７は、ノズルにより消火栓扉を閉鎖状態に保持する本発明による扉支持構造の実施形態を扉の開放状態で示した平面図であり、図８に図７の実施形態について扉の閉鎖状態と開放状態の側面図を示している。
【００５５】
図７において、本実施形態にあっては、ホース収納空間３６に収納したホース４４の先端に装着したノズル４８を、消火栓扉１８の上部内側に固定したノズルホルダ５０に着脱自在に設けている。なお、磁気吸着による扉ロック機構は図４と同じになるが、図示を省略している。
【００５６】
消火栓扉１８の上部内側にノズル４８を保持することにより、消火栓扉１８の閉鎖状態を示す図８（Ａ）から明らかなように、ノズルホルダ５０に保持されたノズル４８及びこれに連結しているホース４４の一部の荷重が扉内側で下向きに加わり、この荷重によって消火栓扉１８の重心位置は、ヒンジ２１より内側に位置し、このため消火栓扉１８を閉鎖状態に維持できる。
【００５７】
またヒンジ２１の位置は、図４の実施形態と同様、消火栓扉１８の厚み方向の中心位置より前方にずらした位置としており、ノズル４８の保持と相俟って消火栓扉１８を閉鎖状態に確実に保持する。
【００５８】
図８（Ｂ）は消火栓扉１８の開放状態であり、また消火栓扉１８を開くとノズル４８は扉手前の取り出し易い位置に置かれる。
【００５９】
図９は、本発明による扉支持構造の実施形態を扉の閉鎖状態と開放状態で示した側面図であり、この実施形態にあっては、重心設定部材により消火栓扉を閉鎖保持するようしたことを特徴とする。
【００６０】
図９（Ａ）の扉閉鎖状態において、消火栓扉１８の上部内側には、重りとして機能する重心設定部材７０が取り付けられている。重心設定部材７０は金属製のブロック体であり、重心設定部材７０の荷重が扉内側で下向きに加わり、この荷重によって消火栓扉１８の重心位置は、ヒンジ２１より内側に位置し、このため消火栓扉１８を閉鎖状態に維持できる。またヒンジ２１の位置は、図４の実施形態と同様、消火栓扉１８の厚み方向の中心位置より前方にずらした位置としており、重心設定部材７０の取り付けと相俟って消火栓扉１８を閉鎖状態に確実に保持する。
【００６１】
図９（Ｂ）は消火栓扉１８の開放状態であり、消火栓扉１８を開いた状態になると、重心設定部材７０は扉を開放状態に保持する重りとして機能することになる。
【００６２】
図１０は、本発明による扉支持構造の実施形態を扉の閉鎖状態と開放状態で示した側面図であり、図１０（Ａ）に消火栓扉の閉鎖状態を示し、図１０（Ｂ）に消火栓扉の開放状態を示しており、この実施形態にあっては、扉の窪み部により消火栓扉を閉鎖保持するようにしたことを特徴とする。
【００６３】
図１０（Ａ）の扉閉鎖状態において、消火栓扉１８は前面の中央部を内側に窪ませた窪み部７２を形成しており、窪み部７２の形成によって、消火栓扉１８の重心は、ヒンジ２１より後方に位置し、これによって自重によって消火栓扉１８を閉鎖状態に維持できる。
【００６４】
またヒンジ２１の位置は、図４の実施形態と同様、消火栓扉１８の厚み方向の中心位置より前方にずらした位置としており、消火栓扉１８に対する窪み部７２の形成と相俟って消火栓扉１８を閉鎖状態に確実に保持する。
【００６５】
なお上記の実施形態は消火栓装置の扉支持構造を例に取るものであったが、本発明はこれに限定されず、消防用の設備機器が収納される適宜の消防用設備装置における下側を軸として下向きに開閉する扉構造につき、そのまま適用できる。
【００６６】
また本発明はその目的と利点を損なうことのない適宜の変形を含み、更に上記の実施形態に示した数値による限定は受けない。
【符号の説明】
【００６７】
１０：消火栓装置
１２−１，１２−２：筐体
１８：消火栓扉
１８ａ：垂直扉部
１８ｂ：傾斜扉部
２１，２３：ヒンジ
４８：ノズル
５０：ノズルホルダ
７０：重心設定部材
７２：窪み部
【図１】
2011015948.tif 000003
【図２】
2011015948.tif 000004
【図３】
2011015948.tif 000005
【図４】
2011015948.tif 000006
【図５】
2011015948.tif 000007
【図６】
2011015948.tif 000008
【図７】
2011015948.tif 000009
【図８】
2011015948.tif 000010
【図９】
2011015948.tif 000011
【図１０】
2011015948.tif 000012